(57)【要約】      （修正有）【課題】警棒としての強度を満たすと共に、軽量化により取り扱いを容易とした警棒を提供する。【解決手段】元筒２と、元筒２内に摺動自在に収納される先端筒４と、先端筒４と元筒２を伸長状態で固定するための解除自在のロック機構とを備え、元筒２と先端筒４は、炭素繊維強化合成樹脂複合材料の中筒２３、４３と中筒２３、４３の外側にアルミニウム合金の外筒２２、４２を備えて構成されていることを特徴とする警棒１である。先端筒４の先端にはトップボール４１がネジ式等により装着され、元筒２の後端にはエンドキャップ２１がネジ式等により装着されている。【選択図】図３
2017120166.tif 000002
【特許請求の範囲】
【請求項１】
少なくとも元筒、前記元筒内に摺動自在に収納される先端筒と、前記先端筒と前記元筒を伸長状態で固定する解除自在のロック機構を備え、前記元筒と前記先端筒は、炭素繊維強化プラスチック複合材料の中筒と該中筒の外側にアルミニウム合金の外筒を備えて構成されていることを特徴とする警棒。
【請求項２】
前記元筒は、炭素繊維強化プラスチック複合材料の中筒と該中筒の外側には先端側にアルミニウム合金の外筒、後端側には合成樹脂の外筒を備えて構成されていることを特徴とする請求項１に記載の警棒。
【請求項３】
前記合成樹脂の外筒の合成樹脂はポリアセタールであることを特徴とする請求項１又は２に記載の警棒。
【請求項４】
前記元筒は、炭素繊維強化プラスチック複合材料の中筒と該中筒の外側には先端側にアルミニウム合金の外筒、後端側には炭素繊維強化プラスチック複合材料の外筒を備えて構成されていることを特徴とすることを特徴とする請求項１に記載の警棒。
【発明の詳細な説明】
【技術分野】
【０００１】
本発明は、護身用或いは制圧用として用いる伸縮可能な警棒に関する。
【背景技術】
【０００２】
従来から保管や携帯時にはその長さを短縮しておいて、使用時に伸長させる伸縮可能な警棒が提案されている（例えば、特許文献１、２参照。）。この警棒は、中筒内に先端筒を摺動自在に収納すると共に、元筒内に先端筒を収納した中筒を摺動自在に収納する構成である。そして、伸長時には先端筒と中筒、中筒と元筒に夫々設けられたロック機構により先端筒と中筒、中筒と元筒はロックされて夫々伸長状態で固定される一方、収縮させる際にはロック機構のロックを解除して先端筒と中筒を摺動させて収納する構成である。
【０００３】
又、元筒の所定位置には鍔が取り付けられ、鍔には携帯用バンドが取り付けられ、元筒の鍔よりも先端部、即ち伸長時の元筒の一部、中筒及び先端筒を護身部とし、鍔よりも後端部を使用者が把持するグリップ部として構成している。
【０００４】
そして、元筒の、中筒及び先端筒は一定の強度が求められることから、金属が用いられていた。しかし、強度の要求に加えて、取り扱いが容易であることの要求もあり、軽量化が求められていたことから、金属の中では軽い方であるアルミニウム合金が使用されていた。
【先行技術文献】
【特許文献】
【０００５】
【特許文献１】特許第２９７０９００号公報
【特許文献２】特許第３０８７９５４号公報
【発明の概要】
【発明が解決しようとする課題】
【０００６】
しかし、アルミニウム合金では、他の金属性の警棒と比較すれば軽くはなったものの、未だ軽量化が充分とはいえず、誰もが容易に取り扱うことか出来るものではなかった。
【０００７】
そこで、本発明は、警棒としての強度を満たすと共に、軽量化により取り扱いを容易とした警棒を提供することを目的とする。
【課題を解決するための手段】
【０００８】
以上のような課題を解決するための手段としての本発明は、少なくとも元筒、前記元筒内に摺動自在に収納される先端筒と、前記先端筒と前記元筒を伸長状態で固定する解除自在のロック機構を備え、前記元筒と前記先端筒は、炭素繊維強化プラスチック複合材料の中筒と該中筒の外側にアルミニウム合金の外筒を備えて構成されていることを特徴とする警棒である。
【０００９】
又、上記警棒において、前記元筒は、炭素繊維強化プラスチック複合材料の中筒と該中筒の外側には先端側にアルミニウム合金の外筒、後端側には合成樹脂の外筒を備えて構成されていることを特徴とする警棒である。
【００１０】
又、上記警棒において、前記合成樹脂の外筒の合成樹脂はポリアセタールであることを特徴とする警棒である。
【００１１】
又、上記警棒において、前記元筒は、炭素繊維強化プラスチック複合材料の中筒と該中筒の外側には先端側にアルミニウム合金の外筒、後端側には炭素繊維強化プラスチック複合材料の外筒を備えて構成されていることを特徴とする警棒である。
【発明の効果】
【００１２】
以上のような本発明によれば、警棒としての強度を満たすと共に、軽量化により取り扱いを容易とした警棒を提供することが可能となった。
【図面の簡単な説明】
【００１３】
【図１】本発明一実施例伸長状態斜視図
【図２】本発明一実施例伸長状態側面図
【図３】本発明一実施例伸長状態一部断面図
【発明を実施するための形態】
【００１４】
以下本発明の実施の形態を図に従って説明する。本発明は、少なくとも元筒、前記元筒内に摺動自在に収納される先端筒と、前記先端筒と前記元筒を伸長状態で固定する解除自在のロック機構を備え、前記元筒と前記先端筒は、炭素繊維強化プラスチック複合材料の中筒と該中筒の外側にアルミニウム合金の外筒を備えて構成されている警棒である。
【００１５】
図１に示すように、警棒１は元筒２、先端筒４及び鍔５を備えて構成され、鍔５は元筒２に設置され、鍔５より先端部（図１では左側）、即ち伸長時の元筒２の一部及び先端筒４を護身部１０とし、鍔５よりも後端部（図１では右側）を使用者が把持するグリップ部１１として構成している。警棒１は元筒２及び先端筒４の２本で構成しているが、元筒と先端筒間に中間筒を設けて３本で構成してもよい。
【００１６】
元筒２及び先端筒４は夫々中空状に形成され、元筒２内に先端筒４を摺動自在に収納することが出来る。そして、伸長時には先端筒４と元筒２に設けられた解除自在のロック機構により先端筒４と元筒２はロックされて伸長状態で固定される一方、収縮させる際にはロック機構のロックを解除して先端筒４を摺動させて収納している。解除自在のロック機構の構成は特に限定されず、公知のロック機構を用いることが出来る。
【００１７】
先端筒４の先端にはトップボール４１がネジ式等により装着され、元筒２の後端にはエンドキャップ２１がネジ式等により装着されている。又、先端筒４の後端の外側面には外周に亘って凸状のストッパー４９が、元筒２の先端の内側面には内周に亘ってストッパー４９を係止する凸状の係止部２９が設けられている。このような構成により、警棒１の伸長時に、ストッパー４９が係止部２９に係止され、元筒２からの先端筒４の抜けを防止している。
【００１８】
元筒２は炭素繊維強化プラスチック複合材料で成形した円筒状の中筒２３と中筒２３の外側にはアルミニウム合金で成形した円筒状の外筒２２を備え、中筒２３と外筒２２とは嵌め合って構成されている。
【００１９】
元筒２の外筒はアルミニウム合金のみで形成することとしてもよいが、護身部１０及びグリップ部１１のうち鍔５付近に比べて強度を要求されないグリップ部１１の後端側、外筒後端部２４は合成樹脂で構成してもよい。外筒後端部２４に用いる合成樹脂は特に限定されないが、強度を維持するために、ポリアセタール等の高強度のエンジニアプラスチックが好ましい。
【００２０】
又、外筒後端部２４は中筒２３と一体成型された又は別体の炭素繊維強化プラスチック複合材料で構成することとしてもよい。このような構成とすることで、警棒のより軽量化を図ることが出来る。
【００２１】
グリップ部１１は、外筒２２或いは更に外筒後端部２４の外表面に弾性を有するグリップ２４を設置している。
【００２２】
先端筒４は炭素繊維強化プラスチック複合材料で成形した円筒状の中筒４３と中筒４３の外側にはアルミニウム合金で成形した円筒状の外筒４２を備え、中筒４３と外筒４２とは嵌め合って構成されている。
【００２３】
鍔５は、台座部５１、固定鍔部５２及び回転鍔部５３を備えて構成され、夫々に元筒２が貫通し、エンドキャップ２１側から台座部５１、回転鍔部５３、固定鍔部５２の順に同軸で積層され、台座部５１と固定鍔部５２は元筒２に固定される一方、回転鍔部５３は元筒２の軸を中心に回転自在に設置されている。又、台座部５１にはピン５１５を備えたバンド取付け部５１３が設けられ、バンド取付け部５１３に携帯用バンド５１９が挿通されて取り付けられている。
【００２４】
固定鍔部５２及び回転鍔部５３は、夫々両端には護身部１０の先端方向に突出する係止突起５２３、５３３が形成されている。この構成は回転防止機構であり、鍔５を閉じた際に、固定鍔部５２及び回転鍔部５３は係止突起５２３、５３３同士が衝突して、それ以上の回転鍔部の回転を防止している。
【産業上の利用可能性】
【００２５】
以上のような本発明によれば、警棒は軽量化されることによって、警棒の使い勝手が良くなり、警棒の新たな需要が喚起され、製造の増加を期待できる。又、警備産業においても本発明の便利な警棒の使用がなされる。
【符号の説明】
【００２６】
１      警棒
１０    護身部
１１    グリップ部
２      元筒
２１    エンドキャップ
２２    外筒
２３    中筒
２４    外筒後端部
４      先端筒
４２    外筒
４３    中筒
５      鍔
５１    台座部
５１９  携帯用バンド
５２    固定鍔部
５２３  係止突起
５３    回転鍔部
５３３  係止突起
【図１】
2017120166.tif 000003
【図２】
2017120166.tif 000004
【図３】
2017120166.tif 000005